(57)【要約】【課題】スライダーのアンローディングを安定化させる、データ記録媒体と、これを備えたＨＤＤとを提供する。【解決手段】データが記録される記録区域１１１と、記録区域にデータを記録または記録区域からデータを読取る磁気ヘッドが搭載されたスライダーをパーキングするために設けられたランプの端部に重なるように、記録区域の外側に設けられた非記録区域１１２と、を備えるデータ記録媒体１１０が提供される。ここで、本データ記録媒体の非記録区域には、スライダーとデータ記録媒体の表面との吸着を抑制する複数の微細バンプ１１３が形成される。かかる構成によれば、データ記録媒体の記録区域の外側に複数の微細バンプが形成されるので、データ記録媒体とランプとの間を移動するスライダーは、データ記録媒体の表面に吸着し難くなる。よって、データ記録媒体によれば、スライダーをランプにパーキングさせるアンローディングが安定化される。【選択図】図４
2007087572.tif 000002
【特許請求の範囲】
【請求項１】
データが記録される記録区域と、
前記記録区域にデータを記録または前記記録区域からデータを読取る磁気ヘッドが搭載されたスライダーをパーキングするために設けられたランプの端部に重なるように、前記記録区域の外側に設けられた非記録区域と、を備え、
前記非記録区域には、前記スライダーと前記データ記録媒体の表面との吸着を抑制する複数の微細バンプが形成されたことを特徴とする、データ記録媒体。
【請求項２】
前記微細バンプが前記データ記録媒体の表面にレーザー光を照射して形成されたことを特徴とする、請求項１に記載のデータ記録媒体。
【請求項３】
前記微細バンプの高さが０．１μｍ以下であることを特徴とする、請求項１または２に記載のデータ記録媒体。
【請求項４】
前記非記録区域は、前記データ記録媒体の外縁部に設けられて前記微細バンプが形成されたバンプ領域と、前記記録区域と前記バンプ領域との間に設けられた境界領域と、を含むことを特徴とする、請求項１〜３のいずれかに記載のデータ記録媒体。
【請求項５】
前記バンプ領域の幅が０．２３ｍｍ以下であることを特徴とする、請求項４に記載のデータ記録媒体。
【請求項６】
前記境界領域の幅が０．２３ｍｍ以下であることを特徴とする、請求項４または５に記載のデータ記録媒体。
【請求項７】
ディスク形態のデータ記録媒体と、前記データ記録媒体にデータを記録または前記データ記録媒体からデータを読取る磁気ヘッドが搭載されたスライダーと、前記スライダーをパーキングするために前記データ記録媒体の外縁側に設けられたランプと、を備えたハードディスクドライブにおいて、
前記データ記録媒体は、データが記録される記録区域と、前記ランプの端部と重なるように、前記記録区域の外側に設けられた非記録区域と、を備え、前記非記録区域には、前記スライダーと前記データ記録媒体の表面との吸着を抑制する複数の微細バンプが形成されたことを特徴とする、ハードディスクドライブ。
【請求項８】
前記微細バンプが前記データ記録媒体の表面にレーザー光を照射して形成されたことを特徴とする、請求項７に記載のハードディスクドライブ。
【請求項９】
前記微細バンプの高さが０．１μｍ以下であることを特徴とする、請求項７または８に記載のハードディスクドライブ。
【請求項１０】
前記非記録区域は、前記データ記録媒体の外縁部に設けられて前記微細バンプが形成されたバンプ領域と、前記記録区域と前記バンプ領域との間に設けられた境界領域と、を含むことを特徴とする、請求項７〜９のいずれかに記載のハードディスクドライブ。
【請求項１１】
前記バンプ領域の幅が０．２３ｍｍ以下であることを特徴とする、請求項１０に記載のハードディスクドライブ。
【請求項１２】
前記境界領域の幅が０．２３ｍｍ以下であることを特徴とする、請求項１０または１１に記載のハードディスクドライブ。
【発明の詳細な説明】
【技術分野】
【０００１】
本発明は、ハードディスクドライブ（ＨＤＤ；Ｈａｒｄ  Ｄｉｓｋ  Ｄｒｉｖｅ）に係り、より詳細には、スライダーのアンローディングを安定化させるデータ記録媒体と、これを備えたＨＤＤとに関する。
【背景技術】
【０００２】
ＨＤＤは、コンピュータ、ＭＰ３プレーヤーなどの携帯型ランダムアクセス方式のオーディオ録音再生装置、携帯電話などに使われる補助記憶装置の一例であって、磁気ヘッドによりディスク形態のデータ記録媒体に／からデータを記録／読取る装置である。このようなＨＤＤにおいて、磁気ヘッドは、高速で回転するデータ記録媒体の表面から所定高さ浮揚した状態で、特定位置に移動されてデータを記録または読取るように機能する。
【０００３】
一方、ＨＤＤの作動電源がオフになると、磁気ヘッドはデータ記録媒体に衝突しないようにデータ記録媒体から離れた位置にパーキングされる。このためのパーキングシステムは、ＣＳＳ（Ｃｏｎｔａｃｔ  Ｓｔａｒｔ  Ｓｔｏｐ）方式とランプ方式とに大別される。
【０００４】
ＣＳＳ方式は、データ記録媒体の内周部にパーキング区域を設け、パーキング区域に磁気ヘッドが搭載されたスライダーを接触させてパーキングさせる方式であり、ランプ方式は、データ記録媒体の外縁側にランプを設け、ランプにスライダーをパーキングさせる方式である。ＣＳＳ方式は、パーキング時にＨＳＡ（Ｈｅａｄ  Ｓｔａｃｋ  Ａｓｓｅｍｂｌｙ）が固定されず、外部衝撃によりスライダーおよびデータ記録媒体が損傷する可能性が高いので、モバイル環境での使用には適していない。したがって、最近ではランプ方式が広く採用されている。
【０００５】
図１は、従来のＨＤＤの磁気ヘッドアンローディング過程における問題点を示す説明図である。
【０００６】
図１を参照すれば、ＨＤＤの作動状態において、データ記録媒体１０の高速回転により誘導された空気の流れが、スライダー１５に揚力をもたらす。スライダー１５は、データの記録／読取中には、揚力とＨＳＡ（図示せず）の弾性力とが平衡する所定の浮揚高ｄを維持する。ＨＤＤの作動電源がオフされると、磁気ヘッド（図示せず）が搭載されたスライダー１５は、矢印で示されるようにデータ記録媒体１０の外縁側に移動する。そして、ＨＳＡ（図示せず）末端のエンドタップ１７がランプ２０の傾斜面２２に沿って斜めに移動すれば、スライダー１５もデータ記録媒体１０の表面から離隔した状態でデータ記録媒体１０の外縁側にパーキングされる。スライダー１５（磁気ヘッド）は、通常、このようにしてアンローディングされる。
【発明の開示】
【発明が解決しようとする課題】
【０００７】
一方、ＨＤＤの作動が停止してデータ記録媒体１０の回転速度が０に収束するに従って、スライダー１５の揚力が減少する一方、スライダー１５をデータ記録媒体１０の表面に引きつける吸着力が増加する。これにより、スライダー１５がデータ記録媒体１０の表面に付着されて、エンドタップ１７がランプ２０の傾斜面２２に沿って移動できない場合（図１に示すｉ状態）や、エンドタップ１７が傾斜面２２の途中で停止する場合（図１に示すｉｉ状態）など、アンロード不良が発生する。このようなアンロード不良は、データ記録媒体１０およびＨＳＡ（図示せず）に作用する慣性力が小さく、データ記録媒体１０の回転速度が遅く、スライダー１５の浮揚高ｄが小さい、小型のＨＤＤで発生し易く、特に停電など非常時のアンロードで発生し易い。一方、アンロード不良を防止するためにＨＳＡの移動速度を増加させると、エンドタップ１７が傾斜面２２に衝突する時の衝撃により、微粒子（ｐａｒｔｉｃｌｅ）が発生し易くなるという新たな問題を生じる。
【０００８】
本発明は、上記問題点に鑑みてなされたもので、その目的は、スライダーのアンローディングを安定化させる、新規かつ改良されたデータ記録媒体と、これを備えたＨＤＤとを提供することにある。
【課題を解決するための手段】
【０００９】
上記課題を解決するために、本発明の第１の観点によれば、データが記録される記録区域と、記録区域にデータを記録または記録区域からデータを読取る磁気ヘッドが搭載されたスライダーをパーキングするために設けられたランプの端部に重なるように、記録区域の外側に設けられた非記録区域と、を備えるデータ記録媒体が提供される。ここで、本データ記録媒体の非記録区域には、スライダーとデータ記録媒体の表面との吸着を抑制する複数の微細バンプが形成される。
【００１０】
かかる構成によれば、データ記録媒体の記録区域の外側に複数の微細バンプが形成されるので、データ記録媒体とランプとの間を移動するスライダーは、データ記録媒体の表面に吸着し難くなる。かかるデータ記録媒体によれば、スライダーをランプにパーキングさせるアンローディングが安定化される。
【００１１】
上記微細バンプがデータ記録媒体の表面にレーザー光を照射して形成されるようにしてもよい。
【００１２】
上記微細バンプの高さが０．１μｍ以下であるようにしてもよい。
【００１３】
上記非記録区域は、データ記録媒体の外縁部に設けられて微細バンプが形成されたバンプ領域と、記録区域とバンプ領域との間に設けられた境界領域と、を含むようにしてもよい。ここで、バンプ領域の幅が０．２３ｍｍ以下であるようにしてもよい。また、境界領域の幅が０．２３ｍｍ以下であるようにしてもよい。
【００１４】
また、本発明の第２の観点によれば、ディスク形態のデータ記録媒体と、データ記録媒体にデータを記録またはデータ記録媒体からデータを読取る磁気ヘッドが搭載されたスライダーと、スライダーをパーキングするためにデータ記録媒体の外縁側に設けられたランプと、を備えたハードディスクドライブが提供される。ここで、本ハードディスクドライブのデータ記録媒体は、データが記録される記録区域と、ランプの端部と重なるように、記録区域の外側に設けられた非記録区域と、を備え、非記録区域には、スライダーとデータ記録媒体の表面との吸着を抑制する複数の微細バンプが形成される。
【００１５】
かかる構成によれば、データ記録媒体の記録区域の外側に複数の微細バンプが形成されるので、データ記録媒体とランプとの間を移動するスライダーは、データ記録媒体の表面に吸着し難くなる。かかるデータ記録媒体を備えるハードディスクドライブによれば、スライダーをランプにパーキングさせるアンローディングが安定化される。
【発明の効果】
【００１６】
以上のように、本発明によれば、スライダーのアンローディングを安定化させる、データ記録媒体と、これを備えたＨＤＤとが提供される。
【発明を実施するための最良の形態】
【００１７】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００１８】
図２および図３は、本発明の一実施形態に係るＨＤＤを示す平面図および部分斜視図であり、図４は、図２に示すデータ記録媒体の一部分を示す拡大平面図であり、図５は、本実施形態に係るＨＤＤにおける磁気ヘッドのアンローディング過程を示す説明図である。
【００１９】
図２〜図４を参照すれば、ＨＤＤ１００は、ベース部材１０１とベース部材１０１に結合されたカバー部材（図示せず）とから構成されたハウジング内にスピンドルモータ１０５、ディスク形態のデータ記録媒体１１０、ＨＳＡ１２０、ボイスコイルモータ（ＶＣＭ；Ｖｏｉｃｅ  Ｃｏｉｌ  Ｍｏｔｏｒ）１１８を備える。
【００２０】
データ記録媒体１１０を回転させるスピンドルモータ１０５は、ベース部材１０１に固設される。スピンドルモータ１０５に結合されて高速回転するデータ記録媒体１１０は、データが記録される記録区域１１１と、記録区域１１１の外側に設けられた非記録区域１１２と、を備える。
【００２１】
ＨＳＡ１２０は、データの記録／読取を行う磁気ヘッド（図示せず）が搭載されたスライダー１４５を備え、スライダー１４５をデータ記録媒体１１０上の所定位置に移動させてデータ記録媒体１１０に／からデータを記録／読取り、スイングアーム１２１とスイングアーム１２１の先端部に固設されたサスペンション１２３と、サスペンション１２３の先端部に装着されたスライダー１４５と、を備える。ＨＳＡ１２０は、ベース部材１０１にピボット中心１３５を中心として回転自在に装着される。
【００２２】
サスペンション１２３は、スイングアーム１２１の先端部に結合されたロードビーム１２４と、スライダー１４５を装着する湾曲部（ｆｌｅｘｕｒｅ）１２６とを備え、スライダー１４５をデータ記録媒体１１０の表面に付勢するように支持する。湾曲部１２６がロードビーム１２４から湾曲部１２６側に突設したディンプル１２８に接触して支持されることで、湾曲部１２６に装着されたスライダー１４５は、ロードビーム１２４に対して微細に搖動できる。ロードビーム１２４の先端部には、スライダー１４５のパーキング時にランプ１５０に接触して支持されるエンドタップ１３０が設けられる。エンドタップ１３０のランプ１５０と対向する面には、ランプ１５０との接触面積を小さくすることで、摩耗を減らす凸突起１３１が設けられる。
【００２３】
データ記録媒体１１０がベース部材１０１上で高速回転すると、スライダー１４５に対して揚力が作用する。スライダー１４５は、スライダー１４５をデータ記録媒体１１０側に加圧するサスペンション１２３の弾性力と、揚力とが平衡する高さで浮揚状態を維持する。このような浮揚状態において、スライダー１４５に搭載された磁気ヘッド（図示せず）は、データ記録媒体１１０の記録区域１１１に／からデータを記録／読取るように機能する。
【００２４】
ベース部材１０１に固設されたＶＣＭ１１８は、ＨＳＡ１２０に回転力を伝達する。ＶＣＭ１１８は、ＨＳＡ１２０に結合されるＶＣＭコイル１３７の上側および下側に各々に配置されるマグネット１１８ａと、マグネット１１８ａを支持するヨーク１１８ｂと、を備える。ＶＣＭ１１８は、サーボ制御システムにより制御され、ＶＣＭコイル１３７に入力される電流とマグネット１１８ａにより形成された磁場との相互作用により、フレミングの左手法則に従う方向にＨＳＡ１２０を回転させる。
【００２５】
ＨＤＤ１００の作動が停止すると、ＶＣＭ１１８がＨＳＡ１２０を時計回りに回転させるので、スライダー１４５は、データ記録媒体１１０の記録区域１１１上に位置するローディング状態からランプ１５０側に移動してアンローディング状態となる。一方、ＨＤＤ１００の作動が開始すると、ＶＣＭ１１８がＨＳＡ１２０を反時計回りに回転させるので、スライダー１４５は、ランプ１５０にパーキングされたアンローディング状態からデータ記録媒体１１０の記録区域１１１上に位置するローディング状態となる。
【００２６】
スライダー１４５がランプ１５０にパーキングされた状態において、ＨＤＤ１００に外部衝撃や振動が与えられると、ＨＳＡ１２０が不必要に回転し、スライダー１４５およびデータ記録媒体１１０が相互間の接触により損傷する場合がある。したがって、スライダー１４５がランプ１５０にパーキングされた状態において、ＨＳＡ１２０が不必要に回転しないように一定位置にロックされる必要があり、このためにＨＤＤ１００はラッチ１１９を備える。
【００２７】
ベース部材１０１の一コーナー部には、ＨＳＡ１２０に連結されたＦＰＣ（Ｆｌｅｘｉｂｌｅ  Ｐｒｉｎｔｅｄ  Ｃｉｒｃｕｉｔ）１１６をベース部材１０１の下方に配置された主回路基板（図示せず）に接続するＦＰＣブラケット１１５が設けられる。一方、一コーナー部の対角線方向に位置する他コーナー部には、ＨＤＤ１００の内部を流動する空気中に含まれた微粒子などの異物をフィルタリングする循環フィルター１０７が設けられる。
【００２８】
ＨＤＤ１００の作動停止時にスライダー１４５がパーキングされるランプ１５０は、データ記録媒体１１０の外縁側に設けられ、ベース部材１０１に固設される。ランプ１５０は、エンドタップ１３０がデータ記録媒体１１０の外縁側（データ記録媒体１１０から離間する方向）に移動するほどエンドタップ１３０がデータ記録媒体１１０の表面から離隔するようにする傾斜面１５２と、エンドタップ１３０が停止するエンドタップ停止面１５５と、を備える。また、エンドタップ１３０がエンドタップ停止面１５５に停止した状態で、パーキングされたスライダー１４５を支持するスライダー支持面１５７と、外部衝撃や振動を与えられてもエンドタップ１３０がエンドタップ停止面１５５から離脱しないようにする離脱防止壁１５６と、を備える。
【００２９】
データ記録媒体１１０の非記録区域１１２は、傾斜面１５２が形成されたランプ１５０の端部と重なり、データ記録媒体１１０の外縁部に設けられて微細バンプ１１３が形成されたバンプ領域１１２ｂと、記録区域１１１とバンプ領域１１２ｂとの間に設けられた境界領域１１２ａと、を含む。境界領域１１２ａとバンプ領域１１２ｂとは、データ記録媒体１１０の回転中心を同心とする所定幅の環状領域として形成される。
【００３０】
図５を参照すれば、微細バンプ１１３は、データ記録媒体１１０の表面にレーザー光を照射して表面を膨張させて形成される。レーザー光の波長、照射量に応じて多様な形態の微細バンプ１１３が形成されるが、高さｈが０．１μｍ以下の微細バンプ１１３が形成されるようにレーザー光を照射することが望ましい。一方、データ記録量を増加するために非記録区域１１２の幅は小さいことが望ましく、境界領域１１２ａおよびバンプ領域１１２ｂの幅Ｂ１、Ｂ２は、各々に０．２３ｍｍ以下であることが望ましい。ここで、０．２３ｍｍの幅は、直径０．８５インチ以下のデータ記録媒体１１０を備える小型のＨＤＤ１００のスライダー１４５の幅に相当する。
【００３１】
ＨＤＤ１００の作動が停止すると、スライダー１４５のアンローディングのためにＨＳＡ１２０が時計回りに回転し、スライダー１４５がデータ記録媒体１１０の記録区域１１１から非記録区域１１２に移動される。スピンドルモータ１０５が停止すると、データ記録媒体１１０の回転速度が０に収束してスライダー１４５の揚力が減少するが、バンプ領域１１２ｂに形成された微細バンプ１１３の作用によって、非記録区域１１２では、スライダー１４５をデータ記録媒体１１０の表面に引きつける吸着力が増加しない。
【００３２】
より詳しくは、データ記録媒体１１０の表面に対向するスライダー１４５の面には、スライダー１４５をデータ記録媒体１１０の表面から離隔させる方向に作用する正圧と、逆方向に作用する負圧とが発生し、正圧と負圧との合力がスライダー１４５の揚力を形成する。ここで、負圧は、データ記録媒体１１０の表面粗度が高くなるほど減少することが知られている。したがって、バンプ領域１１２ｂに形成された微細バンプ１１３の作用によって、スライダー１４５をデータ記録媒体１１０の表面に引きつける吸着力の増加が抑制される。
【００３３】
吸着力の低下によって、ＨＳＡ１２０のエンドタップ１３０は、微粒子の発生が抑制される適切な速度でランプ１５０の傾斜面１５２に衝突し、傾斜面１５２に沿って移動してエンドタップ停止面１５５に停止し、スライダー１４５は、スライダー支持面１５７に定着される。
【００３４】
データ記録媒体１１０の直径が０．８５インチ以下である小型のＨＤＤ１００の場合、スライダー１４５の浮揚高ｄが０．４μｍ以下であり、エンドタップ１３０が傾斜面１５２に衝突する時の衝撃によってスライダー１４５は小さな振幅で上下振動する。データ記録媒体１１０の境界領域１１２ａは、微細バンプ１１３を備えておらず記録区域１１１と実質的に等しい表面高さを有するので、スライダー１４５が振動によってデータ記録媒体１１０の表面に衝突して損傷する可能性は低下する。
【００３５】
以上の説明によれば、本実施形態に係るデータ記録媒体を備えるＨＤＤ１００によれば、スライダー１４５のアンローディングが安定化される。また、ＨＳＡ１２０の回動速度を速くせずに、スライダー１４５のアンローディング不良が防止されるので、エンドタップ１３０とランプ１５０との衝突による微粒子の発生が抑制される。
【００３６】
以上、添付図面を参照しながら本発明の好適な実施形態について説明したが、本発明は係る例に限定されない。当業者であれば、特許請求の範囲に記入された技術的思想の範疇内において、各種の変更例または修正例に想到し得ることは明らかであり、それらについても当然に本発明の技術的範囲に属するものと了解される。
【産業上の利用可能性】
【００３７】
本発明は、ＨＤＤの内部に備えられるディスク形態のデータ記録媒体と、当該データ記録媒体を備えるＨＤＤに適用できる。
【図面の簡単な説明】
【００３８】
【図１】従来のＨＤＤの磁気ヘッドアンローディング過程における問題点を示す説明図である。
【図２】本発明の一実施形態に係るＨＤＤを示す平面図である。
【図３】本発明の一実施形態に係るＨＤＤを示す部分斜視図である。
【図４】図２に示すデータ記録媒体の一部分を示す拡大平面図である。
【図５】本実施形態に係るＨＤＤにおける磁気ヘッドのアンローディング過程を示す説明図である。
【符号の説明】
【００３９】
１００    ＨＤＤ
１０１    ベース部材
１０５    スピンドルモータ
１０７    循環フィルター
１１０    データ記録媒体
１１１    記録区域
１１２    非記録区域
１１２ａ    境界領域
１１２ｂ    バンプ領域
１１３    微細バンプ
１１８    ＶＣＭ（Ｖｏｉｃｅ  Ｃｏｉｌ  Ｍｏｔｏｒ）
１１８ａ    マグネット
１１８ｂ    ヨーク
１１９    ラッチ
１２０    ＨＳＡ（Ｈｅａｄ  Ｓｔａｃｋ  Ａｓｓｅｍｂｌｙ）
１２１    スイングアーム
１２３    サスペンション
１３０    エンドタップ
１４５    スライダー
１５０    ランプ
１５２    傾斜面
【図１】
2007087572.tif 000003
【図２】
2007087572.tif 000004
【図３】
2007087572.tif 000005
【図４】
2007087572.tif 000006
【図５】
2007087572.tif 000007